(57)【要約】【課題】複数の媒体が挿抜可能なコネクタ装置の厚み方向の寸法を低減すること。【解決手段】コネクタ装置は、第１方向の一端側に開口を有する本体であって、第１空間、及び、第１方向で第１空間よりも開口に近い側に位置しかつ第１空間と第１方向で並ぶ第２空間を、内部に形成する本体と、第１媒体を載せることが可能な第１トレイと、第１トレイを、第１空間に対して第１方向に開口を介して挿抜可能とする第１機構と、第２空間に対して第１方向に、第１媒体とは別の第２媒体を開口を介して挿抜可能とする第２機構であって、本体内に第１トレイ及び第２媒体が挿入された状態から第１トレイ及び第２媒体のうちの第２媒体だけを抜き出すことを可能とする第２機構とを含む。【選択図】図１
2018195379.tif 000002
【特許請求の範囲】
【請求項１】
第１方向の一端側に開口を有する本体であって、第１空間、及び、前記第１方向で前記第１空間よりも前記開口に近い側に位置しかつ前記第１空間と前記第１方向で並ぶ第２空間を、内部に形成する本体と、
第１媒体を載せることが可能な第１トレイと、
前記第１トレイを、前記第１空間に対して前記第１方向に前記開口を介して挿抜可能とする第１機構と、
前記第２空間に対して前記第１方向に、前記第１媒体とは別の第２媒体を前記開口を介して挿抜可能とする第２機構であって、前記第１トレイ及び前記第２媒体が前記本体に挿入されている状態において前記第１トレイ及び前記第２媒体のうちの前記第２媒体だけを抜き出すことを可能とする第２機構とを含む、コネクタ装置。
【請求項２】
前記第１機構は、
前記本体に対して前記第１方向で変位可能である第１スライド部材と、
前記第１方向での前記第１トレイの抜き方向に前記第１スライド部材を付勢する第１弾性部材と、
前記第１方向での前記第１トレイの動きを規定する第１ハートカム機構とを含み、
前記第２機構は、
前記本体に対して変位可能である第２スライド部材と、
前記第１方向での前記第２媒体の抜き方向に前記第２スライド部材を付勢する第２弾性部材と、
前記第１方向での前記第２媒体の動きを規定する第２ハートカム機構とを含む、請求項１に記載のコネクタ装置。
【請求項３】
前記第１ハートカム機構及び前記第２ハートカム機構は、前記第１トレイ及び前記第２媒体が前記本体に挿入されている状態において、前記第１方向での前記第２媒体の挿入方向への変位に連動するように構成される、請求項２に記載のコネクタ装置。
【請求項４】
前記第２ハートカム機構は、第２変位量による前記変位に連動して、前記第２媒体を前記本体から抜ける状態に遷移させ、
前記第１ハートカム機構は、前記第２変位量より大きい第１変位量による前記変位に連動して、前記第１トレイを前記本体から抜ける状態に遷移させる、請求項３に記載のコネクタ装置。
【請求項５】
前記第１ハートカム機構は、前記第１スライド部材及び前記本体の一方に一端が支持される第１カムピンと、前記第１スライド部材及び前記本体の他方に設けられ、前記第１カムピンの他端が嵌り、前記第１カムピンの他端が通る第１軌跡を規定する第１カム溝とを含み、
前記第２ハートカム機構は、前記第２スライド部材及び前記本体の一方に一端が支持される第２カムピンと、前記第２スライド部材及び前記本体の他方に設けられ、前記第２カムピンの他端が嵌り、前記第２カムピンの他端が通る第２軌跡を規定する第２カム溝とを含み、
前記第１軌跡におけるハート状の部分は、該ハート状の凹部に対応する第１ロック位置から該ハート状の下端の第１下端位置に向かう第１ロック解除側軌跡であって、該ハート状の頂部に、前記第１下端位置への折り返しが可能な第１折り返し位置を有する第１ロック解除側軌跡を含み、
前記第２軌跡におけるハート状の部分は、該ハート状の凹部に対応する第２ロック位置から該ハート状の下端の第２下端位置に向かう第２ロック解除側軌跡であって、該ハート状の頂部に、前記第２下端位置への折り返しが可能な第２折り返し位置を有する第２ロック解除側軌跡を含み、
前記第２軌跡は、前記ハート状の頂部に接続されかつ前記第１方向に前記第２ロック位置から離れる側に延在するロック解除側余長軌跡を含み、
前記第１変位量は、前記第１方向で前記第１ロック位置から前記第１折り返し位置までの距離と、前記第１トレイ及び前記第２媒体が前記本体に挿入されている状態における前記第１方向で前記第１スライド部材及び前記第２スライド部材の間の距離との和に対応し、
前記第２変位量は、前記第１方向で前記第２ロック位置から前記第２折り返し位置までの距離に対応し、
前記ロック解除側余長軌跡の前記第１方向の寸法は、前記第１変位量から前記第２変位量を引いた値以上である、請求項４に記載のコネクタ装置。
【請求項６】
前記第２軌跡におけるハート状の部分は、前記第２下端位置から前記第２ロック位置に向かう第２ロック側軌跡を更に含み、
前記第２軌跡は、前記第２ロック側軌跡における前記ハート状の頂部に接続されかつ前記第１方向に前記第２ロック位置から離れる側に延在するロック側余長軌跡を更に含む、請求項５に記載のコネクタ装置。
【請求項７】
前記第２媒体を載せることが可能な第２トレイを更に備え、
前記第２機構は、前記第１トレイに対して前記第２トレイを前記第１方向に摺動可能とすることで、前記第２空間に対して前記第２媒体を挿抜可能とする、請求項１記載のコネクタ装置。
【発明の詳細な説明】
【技術分野】
【０００１】
本開示は、コネクタ装置に関する。
【背景技術】
【０００２】
２つの媒体（例えばＳＩＭ（Subscriber  Identity  Module）カードやメモリカード）が個別に挿抜可能なコネクタ装置が知られている。
【先行技術文献】
【特許文献】
【０００３】
【特許文献１】特開2005-5176号公報
【発明の概要】
【発明が解決しようとする課題】
【０００４】
しかしながら、上記のような従来技術では、コネクタ装置の厚み方向（媒体の厚み方向）の寸法を低減することが難しい。コネクタ装置は、電子機器に搭載される場合があり、コネクタ装置の厚み方向の寸法は、電子機器の薄型化に対する制約になる場合がある。
【０００５】
そこで、１つの側面では、本発明は、複数の媒体が挿抜可能なコネクタ装置の厚み方向の寸法を低減することを目的とする。
【課題を解決するための手段】
【０００６】
１つの側面では、第１方向の一端側に開口を有する本体であって、第１空間、及び、前記第１方向で前記第１空間よりも前記開口に近い側に位置しかつ前記第１空間と前記第１方向で並ぶ第２空間を、内部に形成する本体と、
第１媒体を載せることが可能な第１トレイと、
前記第１トレイを、前記第１空間に対して前記第１方向に前記開口を介して挿抜可能とする第１機構と、
前記第２空間に対して前記第１方向に、前記第１媒体とは別の第２媒体を前記開口を介して挿抜可能とする第２機構であって、前記第１トレイ及び前記第２媒体が前記本体に挿入されている状態において前記第１トレイ及び前記第２媒体のうちの前記第２媒体だけを抜き出すことを可能とする第２機構とを含む、コネクタ装置が提供される。
【発明の効果】
【０００７】
１つの側面では、本発明によれば、複数の媒体が挿抜可能なコネクタ装置の厚み方向の寸法を低減することが可能となる。
【図面の簡単な説明】
【０００８】
【図１】実施例１によるコネクタ装置の分解斜視図である。
【図２Ａ】図１の第１機構の拡大図である。
【図２Ｂ】図１の第２機構の拡大図である。
【図３Ａ】第１カム溝を上面視（Ｚ方向のビュー)で示す図であ
【図３Ｂ】第２カム溝を上面視で示す図である。
【図４】双方ロック状態への挿入過程を示す図である。
【図５】双方ロック状態を示す図である。
【図６】双方ロック状態からＳＤメモリカードのみが抜き出される途中の状態を示す図である。
【図７】ＳＤメモリカードのみの取り出し可能な状態を示す図である。
【図８】双方ロック状態からＳＤメモリカード及びＳＩＭトレイが抜き出される途中の状態を示す図である。
【図９】ＳＤメモリカード及びＳＩＭトレイの取り出し可能な状態を示す図である。
【図１０】カム溝がスライド部材側に形成される変形例を示す図である。
【図１１】第２カム溝の変形例（ロック側余長軌跡が無い例）を示す図である。
【図１２】実施例２によるコネクタ装置を示す図である。
【図１３】実施例２によるコネクタ装置を示す図である。
【図１４】実施例２によるコネクタ装置を示す図である。
【発明を実施するための形態】
【０００９】
以下、添付図面を参照しながら各実施例について詳細に説明する。
【００１０】
［実施例１］
図１は、実施例１によるコネクタ装置１の分解斜視図である。
【００１１】
図１には、直交する３軸であるＸ、Ｙ、及びＺ軸が示される。Ｙ方向（第１方向の一例）は、挿抜方向に対応し、以下では、説明上、Ｙ方向の正側を「奥側」とし、Ｙ方向の負側を「手前側」とする。また、説明上、Ｚ方向の正側を「上側」とし、Ｚ方向の負側を「下側」とする。但し、実装された状態でのコネクタ装置１の向きは任意である。
【００１２】
コネクタ装置１は、複数種類のコネクタを組み合わせ一体化させた方式のいわゆるコンボコネクタ（Combo-Connector）であり、電子機器に実装される。電子機器は、典型的には、通信端末であり、例えばスマートフォンや、携帯電話、タブレット端末、デスクトップ型ＰＣ（Personal  Computer）、ノート型ＰＣ等である。以下では、コネクタ装置１は、一例として、通信端末に実装されるものとする。
【００１３】
コネクタ装置１は、本体１０と、ＳＩＭトレイ２１（第１トレイの一例）と、第１機構３０と、第２機構４０とを含む。
【００１４】
本体１０は、コネクタ装置１が実装される電子機器に固定される部位であり、コネクタ装置１のケースを形成する。本体１０のケース部分は、例えば、薄板の金属材料により形成された上側のシェル部１１４と下側のベース部１１２とを結合することで形成されてもよい。本体１０は、３つ以上の部材により形成されてもよい。例えば、本体１０は、後述の第１カム溝３４０等が形成される部位を、ケース部分と一体的に備える。尚、第１カム溝３４０等が形成される部位は、ケース部分と一体に形成されてもよいし、ケース部分とは別に形成されかつケース部分（例えばベース部１１２）に結合されてもよい。
【００１５】
本体１０のベース部１１２は、通信端末の基板（図示せず）に固定される。基板には、後述のＳＩＭカード４が本体１０内でロック状態にあるときにＳＩＭカード４に電気的に接続する回路部（図示せず）が形成される。また、基板には、後述のＳＤメモリカード５が本体１０内でロック状態にあるときにＳＤメモリカード５に電気的に接続する回路部（図示せず）が形成される。通信端末は、ＳＩＭカード４内の情報やＳＤメモリカード５内の情報に基づいて動作できる。
【００１６】
本体１０は、コネクタ装置１の内部に、Ｙ方向に並ぶ第１空間１１及び第２空間１２を形成する。第１空間１１には、ＳＩＭトレイ２１がＹ方向に挿抜可能である。第２空間１２には、ＳＤメモリカード５がＹ方向に挿抜可能である。第１空間１１は、第２空間１２より奥側に形成される。
【００１７】
本体１０は、手前側が開口し、奥側が閉塞される。即ち、本体１０は、手前側に開口１４を有する。従って、第１空間１１は、奥側が閉塞され、手前側は第２空間１２を介して本体１０の外部に連通する。また、第２空間１２は、奥側が第１空間１１と隣接し、手前側は本体１０の外部に連通する。
【００１８】
ＳＩＭトレイ２１は、ＳＩＭカード４（第１媒体の一例）を載せることが可能なトレイである。ＳＩＭカード４は、通信端末の正当なユーザを特定するためのＩＤ(Identification)番号が記録されたＩＣ（integrated  circuit）カードである。実施例１では、一例として、ＳＩＭカード４は、図１に示すようにnano-SIMの形態であるが、micro-SIM等の任意の形態であってよい。
【００１９】
第１機構３０は、ＳＩＭトレイ２１を本体１０の第１空間１１に対してＹ方向に挿抜可能とする。第１機構３０は、本体１０の開口１４を介してＳＩＭトレイ２１を挿抜可能とする。第１機構３０の詳細は後述する。
【００２０】
第２機構４０は、ＳＤメモリカード５（第２媒体の一例）を本体１０の第２空間１２に対してＹ方向に挿抜可能とする。第２機構４０は、本体１０の開口１４を介してＳＩＭトレイ２１を挿抜可能とする。ＳＤメモリカード５は、メモリカードの一例であり、ＳＤメモリカード５に代えて他のメモリカードが適用されてもよい。図１に示す例では、ＳＤメモリカード５は、ｍｉｃｒｏＳＤカードの形態であるが、他の形態(例えばｍｉｎｉＳＤカードの形態や、通常のＳＤカードの形態)であってもよい。
【００２１】
第２機構４０は、第１機構３０とは別の機構である。第２機構４０は、ＳＤメモリカード５及びＳＩＭトレイ２１のロック状態（後述の双方ロック状態）においてＳＤメモリカード５だけを抜き出すことを可能とする。即ち、第２機構４０は、ＳＤメモリカード５の抜き出しが、ＳＩＭトレイ２１の抜き出し（及びそれに伴うＳＩＭカード４の抜き出し)を伴わない態様で、ＳＤメモリカード５の抜き出しを可能とする。第２機構４０の詳細は後述する。
【００２２】
このように実施例１によれば、Ｙ方向に並ぶ第１空間１１及び第２空間１２のうちの、第１空間１１に対して第１機構３０によりＳＩＭトレイ２１が挿抜可能となり、第２空間１２に対して第２機構４０によりＳＤメモリカード５が挿抜可能となる。この際、ユーザは、ＳＤメモリカード５だけを抜き出すことも可能となり、ＳＤメモリカードの抜き出しに伴って生じうるＳＩＭトレイの抜き出しに起因した不都合を防止できる。具体的には、ＳＤメモリカードの抜き出しに伴ってＳＩＭトレイが抜き出される構成では、ＳＤメモリカードだけを交換したい場合でも通信端末の電源を切る必要がある。これは、ＳＩＭカードは抜く際に通信端末の電源を切る必要があるためである。この点、実施例１によれば、ＳＤメモリカード５だけを抜き出したい場合に通信端末の電源を切る必要が無くなり、ユーザの利便性が向上する。
【００２３】
尚、実施例１では、ＳＤメモリカード５を単独で抜き出すことが可能である一方、ＳＩＭトレイ２１を単独で抜き出すことは不能である。この点、ＳＩＭトレイ２１を抜き出すときは、通信端末の電源を切る必要があるので、ＳＩＭトレイ２１の抜き出しに伴ってＳＤメモリカード５が抜き出されることに有意な不都合はない。
【００２４】
また、Ｙ方向に並ぶ第１空間１１及び第２空間１２を利用することで、コネクタ装置１の厚み方向（上下方向）の薄型化を図ることができる。換言すると、本実施例によれば、ＳＩＭトレイ２１及びＳＤメモリカード５のそれぞれを個別に挿抜可能とするのではなく、ＳＤメモリカード５だけ個別に挿抜可能とする。これにより、Ｙ方向に並ぶ第１空間１１及び第２空間１２を利用でき、コネクタ装置１の厚み方向の薄型化を図ることができる。
【００２５】
次に、図２Ａ及び図２Ｂを参照して、第１機構３０及び第２機構４０の詳細について説明する。
【００２６】
第１機構３０及び第２機構４０は、以下で説明するように、ＳＤメモリカード５及びＳＤメモリカード５の双方を同時に抜き出すことと、ＳＤメモリカード５だけを抜き出すことの双方を、選択的に可能とする。以下では、ＳＤメモリカード５及びＳＤメモリカード５の双方を同時に抜き出すことを可能とする機能を「同時抜き機能」と称し、ＳＤメモリカード５だけを抜き出すことを可能とする機能を「ＳＤ単独抜き機能」と称する。また、同時抜き機能及びＳＤ単独抜き機能の双方を選択的に実現できる機能を、「同時抜き／ＳＤ単独抜き機能」と称する。
【００２７】
図２Ａは、図１の第１機構３０の拡大図である。
【００２８】
第１機構３０は、図２Ａに示すように、第１スライド部材３１０と、第１弾性部材３２０と、第１カムピン３３０と、第１カム溝３４０とを含む。
【００２９】
第１スライド部材３１０は、本体１０に対してＹ方向で変位可能である。第１スライド部材３１０は、本体１０内に設けられ、本体１０により上下方向の変位が拘束される。
【００３０】
第１スライド部材３１０は、ＳＩＭトレイ２１の奥側の端部に対して奥側からＹ方向に当接するトレイ係止部位３１１を有する。ＳＩＭトレイ２１がトレイ係止部位３１１に当接する状態では、ユーザは、ＳＩＭトレイ２１を奥側に押すことで、第１スライド部材３１０を奥側に押すことができる。
【００３１】
第１スライド部材３１０は、本体１０に対して奥側からＹ方向に当接する手前側ストッパ部位３１２を有する。手前側ストッパ部位３１２が本体１０にＹ方向に当接すると（図９参照）、本体１０に対する第１スライド部材３１０の手前側への更なる変位が拘束される。従って、手前側ストッパ部位３１２が本体１０にＹ方向に当接する位置が、第１スライド部材３１０の可動範囲の手前側の境界位置となる。
【００３２】
第１スライド部材３１０は、後述の第２スライド部材４１０に対して奥側からＹ方向に当接するスライド当接部位３１４を有する。スライド当接部位３１４に第２スライド部材４１０が当接した状態（図４参照）では、第１スライド部材３１０は第２スライド部材４１０と一体的に奥側に変位できる。尚、図２Ａに示す例では、スライド当接部位３１４は、手前側ストッパ部位３１２と同一の面内に形成されているが、手前側ストッパ部位３１２に対してＹ方向にオフセットされてもよい。
【００３３】
第１弾性部材３２０は、手前側（Ｙ方向の負側であり、ＳＩＭトレイ２１の抜き方向）へ第１スライド部材３１０を付勢する。実施例１では、一例として、第１弾性部材３２０は、Ｙ方向に延在するスプリングの形態であり、奥側の端部は本体１０に支持され、手前側の端部は、第１スライド部材３１０に支持される。第１スライド部材３１０が奥側へ変位すると、第１弾性部材３２０は、圧縮されることで、第１スライド部材３１０を手前側に付勢する付勢力を強める。
【００３４】
第１カムピン３３０及び第１カム溝３４０は、ハートカム機構（以下、「第１ハートカム機構」とも称する）を形成する。第１カムピン３３０及び第１カム溝３４０によるハートカム機構は、第１スライド部材３１０及び本体１０と協動して、Ｙ方向でのＳＩＭトレイ２１の動きを規定する。
【００３５】
第１カムピン３３０は、図２Ａに示すように、一端３３１が第１スライド部材３１０に支持され、他端３３２が第１カム溝３４０に嵌る。例えば、第１カムピン３３０の一端３３１は、第１スライド部材３１０に形成されたピン穴３１５にＺ軸まわりに回転可能に支持され、回転支点となる。第１カムピン３３０は、本体１０及び第１スライド部材３１０により上下方向の変位が拘束される。従って、第１カムピン３３０の動きは、第１スライド部材３１０側での一端３３１のＺ軸まわりの回転と、第１カム溝３４０での他端３３２の変位とで規定される。
【００３６】
第１カム溝３４０は、図２Ａに示すように、本体１０に設けられる。第１カム溝３４０は、上述のように、第１カムピン３３０の他端３３２の動きを規定する。換言すると、第１カム溝３４０は、第１カムピン３３０の他端３３２が通る軌跡（以下、「第１軌跡」とも称する」を規定する。第１カム溝３４０の形状の詳細（第１軌跡の詳細）は、第２カム溝４４０の形状の詳細とともに後述する。
【００３７】
図２Ｂは、図１の第２機構４０の拡大図である。
【００３８】
第２機構４０は、図２Ｂに示すように、第２スライド部材４１０と、第２弾性部材４２０と、第２カムピン４３０と、第２カム溝４４０とを含む。
【００３９】
第２スライド部材４１０は、本体１０に対してＹ方向で変位可能である。第２スライド部材４１０は、本体１０内に設けられ、本体１０により上下方向の変位が拘束される。第２スライド部材４１０は、第１スライド部材３１０に対して手前側からＹ方向で隣接する態様で設けられる。
【００４０】
第２スライド部材４１０は、ＳＤメモリカード５の奥側の端部に対して奥側からＹ方向に当接するカード係止部位４１１を有する。ＳＤメモリカード５がカード係止部位４１１に当接する状態では、ユーザは、ＳＤメモリカード５を奥側に押すことで、第２スライド部材４１０を奥側に押すことができる。
【００４１】
第２スライド部材４１０は、本体１０の手前側端部１０２に対して奥側からＹ方向に当接する手前側ストッパ部位４１２（図５参照）を有する。手前側ストッパ部位４１２が本体１０にＹ方向に当接すると（図７参照）、本体１０に対する第２スライド部材４１０の手前側への更なる変位が拘束される。従って、手前側ストッパ部位４１２が本体１０にＹ方向に当接する位置が、第２スライド部材４１０の可動範囲の手前側の境界位置となる。
【００４２】
第２スライド部材４１０は、第１スライド部材３１０のスライド当接部位３１４（図２Ａ参照）に対して手前側からＹ方向に当接するスライド当接部位４１４を有する。上述のように、スライド当接部位４１４に第１スライド部材３１０が当接した状態（図４参照）では、第１スライド部材３１０は第２スライド部材４１０と一体的に奥側に変位できる。
【００４３】
第２弾性部材４２０は、手前側（Ｙ方向の負側であり、ＳＤメモリカード５の抜き方向）へ第２スライド部材４１０を付勢する。尚、ＳＤメモリカード５の抜き方向は、ＳＩＭトレイ２１の抜き方向と同じである。実施例１では、一例として、第２弾性部材４２０は、Ｙ方向に延在するスプリングの形態であり、奥側の端部は本体１０に支持され、手前側の端部は、第２スライド部材４１０に支持される。第２スライド部材４１０が奥側へ変位すると、第２弾性部材４２０は、圧縮されることで、第２スライド部材４１０を手前側に付勢する付勢力を強める。
【００４４】
第２カムピン４３０及び第２カム溝４４０は、ハートカム機構（以下、「第２ハートカム機構」とも称する）を形成する。第２カムピン４３０及び第２カム溝４４０によるハートカム機構は、第２スライド部材４１０及び本体１０と協動して、Ｙ方向でのＳＤメモリカード５の動きを規定する。
【００４５】
第２カムピン４３０は、図２Ｂに示すように、一端４３１が第２スライド部材４１０に支持され、他端４３２が第２カム溝４４０に嵌る。例えば、第２カムピン４３０の一端４３１は、第２スライド部材４１０に形成されたピン穴４１５にＺ軸まわりに回転可能に支持され、回転支点となる。第２カムピン４３０は、本体１０及び第２スライド部材４１０により上下方向の変位が拘束される。従って、第２カムピン４３０の動きは、第２スライド部材４１０側での一端４３１のＺ軸まわりの回転と、第２カム溝４４０での他端４３２の変位とで規定される。
【００４６】
第２カム溝４４０は、図２Ｂに示すように、本体１０に設けられる。第２カム溝４４０は、上述のように、第２カムピン４３０の他端４３２の動きを規定する。換言すると、第２カム溝４４０は、第２カムピン４３０の他端４３２が通る軌跡（以下、「第２軌跡」とも称する」を規定する。
【００４７】
次に、図３Ａ及び図３Ｂ、並びに図４乃至図９を参照して、第１カム溝３４０（第１軌跡）及び第２カム溝４４０（第２軌跡）の詳細について説明する。
【００４８】
図３Ａは、第１カム溝３４０を上面視（Ｚ方向のビュー)で概略的に示す図であり、図３Ｂは、第２カム溝４４０を上面視で概略的に示す図である。
【００４９】
図４乃至図９は、各種状態におけるコネクタ装置１の内部を示す上面図である。図４乃至図９では、内部が分かるように、コネクタ装置１の上側のシェル部１１４の図示は省略されている。図４は、ＳＤメモリカード５及びＳＩＭトレイ２１（及びそれに伴いＳＩＭカード４）のロック状態への挿入過程を示す。図５は、ＳＤメモリカード５及びＳＩＭトレイ２１のロック状態（ＳＤメモリカード５及びＳＩＭトレイ２１の挿入完了状態であり、以下、「双方ロック状態」とも称する）を示す。図６は、ＳＤメモリカード５のみが抜き出される途中の状態を示し、図７は、ＳＤメモリカード５のみの取り出し可能な状態を示す。図８は、ＳＤメモリカード５及びＳＩＭトレイ２１(及びそれに伴いＳＩＭカード４)が抜き出される途中の状態を示し、図９は、ＳＤメモリカード５及びＳＩＭトレイ２１の取り出し可能な状態を示す。
【００５０】
第１カム溝３４０により規定される第１軌跡は、図３Ａに示すように、ハート状の部分３４１と、手前側の直線部分３４２とを含む。尚、第２カム溝４４０の底面（上面視で視える面）は、以下で説明する方向（Ｒ１〜Ｒ５）とは逆方向の第１カムピン３３０の動きを防止するための傾斜や段差等が形成されてもよい。
【００５１】
ハート状の部分３４１は、第１ロック側軌跡３４１１と、第１ロック解除側軌跡３４１２とを含む。直線部分３４２は、ＳＩＭトレイ２１が本体１０から取り出し可能な状態となるときの第１カムピン３３０の他端３３２の位置（ホーム位置Ｐｈ）を規定する。
【００５２】
第１ロック側軌跡３４１１は、ハート状の下端位置Ｐ０から、ハート状の凹部に対応する第１ロック位置Ｐ２に向かう軌跡である。第１ロック側軌跡３４１１は、図４及び図５に示すように、双方ロック状態へのＳＤメモリカード５(及びそれに伴いＳＩＭトレイ２１)の挿入過程で機能する。
【００５３】
具体的には、図９に示す挿入前状態(抜き出し完了状態)からユーザによりＳＤメモリカード５が奥側に押し込みされ始めると、スライド当接部位３１４に第２スライド部材４１０が当接した状態（図４参照）に至る。スライド当接部位３１４に第２スライド部材４１０が当接した状態で、ユーザによりＳＤメモリカード５が更に奥側に押し込まれると、第１スライド部材３１０及び第２スライド部材４１０が一体的に奥側に変位する。この際、第１カムピン３３０の他端３３２はホーム位置Ｐｈから位置Ｐ０を介して第１ロック側軌跡３４１１の奥側へと至る(図３ＡのＲ１，Ｒ２参照)。そして、第１カムピン３３０の他端３３２は、ＳＤメモリカード５(及びそれに伴いＳＩＭトレイ２１)が奥側に押し込まれて第１ロック側軌跡３４１１上の段差３４３０を超えると、第１ロック位置Ｐ２への折り返しが可能な位置Ｐ１に至る。位置Ｐ１は、挿入過程でのＳＤメモリカード５の最大押し込み位置に相当する。折り返しが可能な位置Ｐ１でユーザがＳＤメモリカード５の押し込みをやめると、第１カムピン３３０の他端３３２は、位置Ｐ１にて折り返して第１ロック位置Ｐ２に至る(矢印Ｒ３参照)。即ち、第１弾性部材３２０の作用により第１スライド部材３１０が手前側に僅かに変位し、第１カムピン３３０の他端３３２が第１ロック位置Ｐ２に至る。
【００５４】
第１ロック解除側軌跡３４１２は、第１ロック位置Ｐ２から離れる軌跡であり、具体的には、第１ロック位置Ｐ２からハート状の下端位置Ｐ０に向かう軌跡である。実施例１では、一例として、第１ロック解除側軌跡３４１２は、第１ロック側軌跡３４１１とは非対称に形成される。具体的には、第１ロック位置Ｐ２から折り返し位置Ｐ３（第１折り返し位置の一例）までのＹ方向の寸法Ｌ１は、第１ロック側軌跡３４１１における第１ロック位置Ｐ２から最大押し込み位置Ｐ１までのＹ方向の寸法よりも大きい。但し、変形例では、第１ロック側軌跡３４１１における第１ロック位置Ｐ２から最大押し込み位置Ｐ１までのＹ方向の寸法は、寸法Ｌ１と同一又はそれ以上であってもよい。
【００５５】
第１ロック解除側軌跡３４１２は、図５に示す双方ロック状態から、取り出し可能状態へのＳＤメモリカード５の抜き過程、及び、ＳＤメモリカード５及びＳＩＭトレイ２１の抜き過程のうちの、ＳＤメモリカード５及びＳＩＭトレイ２１の抜き過程でのみ機能する。
【００５６】
具体的には、図５に示す双方ロック状態からユーザによりＳＤメモリカード５が奥側に押し込みされると、奥側への変位量が、双方ロック状態での第２スライド部材４１０と第１スライド部材３１０との間のＹ方向の距離Ｌ０（図５参照）を超える。この結果、第１スライド部材３１０のスライド当接部位３１４に第２スライド部材４１０が当接した状態に至る。スライド当接部位３１４に第２スライド部材４１０が当接した状態で、ユーザによりＳＤメモリカード５が更に奥側に押し込まれると、図８に示すように、第１スライド部材３１０及び第２スライド部材４１０が一体的に奥側に変位する。そして、図５に示す双方ロック状態からの第１スライド部材３１０のＹ方向の変位量が寸法Ｌ１を超えると、第１カムピン３３０の他端３３２は、下端位置Ｐ０への折り返しが可能な位置Ｐ３に至る(矢印Ｒ４参照)。位置Ｐ３は、抜き過程でのＳＩＭトレイ２１が抜き出せる位置に相当する。折り返しが可能な位置Ｐ１でユーザがＳＤメモリカード５の押し込みをやめると、第１カムピン３３０の他端３３２は、位置Ｐ３にて折り返して下端位置Ｐ０及びホーム位置Ｐｈに至る(矢印Ｒ５参照)。これより、図９に示すように、ＳＤメモリカード５及びＳＩＭトレイ２１が取り出し可能な状態となる。図９に示す状態では、ユーザは、ＳＤメモリカード５及びＳＩＭトレイ２１が本体１０から手前側に露出しており、いずれも容易に取り出すことができる。
【００５７】
第２カム溝４４０により規定される第２軌跡は、図３Ｂに示すように、ハート状の部分４４１と、手前側の直線部分４４２と、ロック側余長軌跡４４３と、ロック解除側余長軌跡４４４とを含む。尚、第２カム溝４４０の底面（上面視で視える面）は、以下で説明する方向（Ｒ１１〜Ｒ１６）とは逆方向の第２カムピン４３０の動きを防止するための傾斜や段差、窪み等が形成されてもよい。
【００５８】
ハート状の部分４４１は、第２ロック側軌跡４４１１と、第２ロック解除側軌跡４４１２とを含む。直線部分４４２は、ＳＤメモリカード５が本体１０から取り出し可能な状態となるときの第２カムピン４３０の他端４３２の位置（ホーム位置Ｐｈ２）を規定する。
【００５９】
第２ロック側軌跡４４１１は、ハート状の下端位置Ｐ１０から、ハート状の凹部に対応する第２ロック位置Ｐ１２に向かう軌跡である。
【００６０】
第２ロック解除側軌跡４４１２は、第２ロック位置Ｐ１２から離れる軌跡であり、具体的には、第２ロック位置Ｐ１２からハート状の下端位置Ｐ１０に向かう軌跡である。実施例１では、第２ロック解除側軌跡４４１２において第２ロック位置Ｐ１２から折り返し位置Ｐ１３（第２折り返し位置の一例）までのＹ方向の寸法Ｌ２（第２変位量の一例）は、同時抜き／ＳＤ単独抜き機能を実現するために、次の関係を有するように定められる。
【００６１】
実施例１では、図５に示すように、双方ロック状態では、第１スライド部材３１０と第２スライド部材４１０とはＹ方向で距離Ｌ０だけ離れている。従って、双方ロック状態から、ＳＤメモリカード５(及びそれに伴い第２スライド部材４１０)を、Ｙ方向に距離Ｌ０＋Ｌ１（第１変位量の一例）だけ奥側に移動させれば、第１カムピン３３０の他端３３２を図３Ａの位置Ｐ３に至らせることができる。
【００６２】
寸法Ｌ２は、ＳＤメモリカード５の押し込み過程で第１カムピン３３０の他端３３２が図３Ａの位置Ｐ３に至る前に、第２カムピン４３０の他端４３２が位置Ｐ１３に至るように設定される。例えば、寸法Ｌ２は、距離Ｌ０以下に設定されてよい。この場合、ＳＤメモリカード５の押し込み過程で第１スライド部材３１０に第２スライド部材４１０が当接する前又は当接する際に、第２カムピン４３０の他端４３２が位置Ｐ１３に至ることができる。或いは、寸法Ｌ２は、距離Ｌ０よりも大きいが、距離Ｌ０＋Ｌ１よりも小さくなるように設定されてよい。即ち、Ｌ０＜Ｌ２＜Ｌ０＋Ｌ１である。この場合、ＳＤメモリカード５の押し込み過程で第１スライド部材３１０に第２スライド部材４１０が当接しても、その後、第１カムピン３３０の他端３３２が図３Ａの位置Ｐ３に至る前に、第２カムピン４３０の他端４３２が位置Ｐ１３に至ることができる。
【００６３】
尚、変形例では、距離Ｌ０は“０”であってもよい。即ち、双方ロック状態では、第１スライド部材３１０と第２スライド部材４１０とはＹ方向で当接する。この場合は、寸法Ｌ２は、距離Ｌ１（第１変位量の他の一例）よりも小さくなるように設定されてよい。
【００６４】
ロック側余長軌跡４４３は、第２ロック側軌跡４４１１におけるハート状の頂部に接続されかつＹ方向に第２ロック位置Ｐ１２から離れる側に延在する。
【００６５】
第２ロック側軌跡４４１１及びロック側余長軌跡４４３は、図４及び図５に示すように、双方ロック状態へのＳＤメモリカード５（及びそれに伴いＳＩＭカード４）の挿入過程で機能する。
【００６６】
具体的には、図９に示す挿入前状態(抜き出し完了状態)からユーザによりＳＤメモリカード５が奥側に押し込まれると、スライド当接部位３１４に第２スライド部材４１０が当接する。当接後、ユーザによりＳＤメモリカード５が更に奥側に押し込まれると、第１スライド部材３１０及び第２スライド部材４１０が一体的に奥側に変位する。この際、第２カムピン４３０の他端４３２はホーム位置Ｐｈ２から位置Ｐ１０を介して第２ロック側軌跡４４１１の奥側へと至る(図３ＢのＲ１１，Ｒ１２参照)。また、この際、第２カムピン４３０の他端４３２は、第２ロック側軌跡４４１１上の段差４４３０を超えて、第２ロック位置Ｐ１２への折り返しが可能な位置Ｐ１１に至り、更にロック側余長軌跡４４３を辿り位置Ｐ１１Ａへ至る（Ｒ１２Ａ参照）。位置Ｐ１１Ａは、挿入過程でのＳＤメモリカード５の最大押し込み位置に相当する。即ち、第１カムピン３３０の他端３３２が位置Ｐ１に至るとき、第２カムピン４３０の他端４３２は位置Ｐ１１Ａへ至る(図４参照)。折り返しが可能な位置Ｐ１１を超えた位置Ｐ１１ＡでユーザがＳＤメモリカード５の押し込みをやめると、第２カムピン４３０の他端４３２は、位置Ｐ１１Ａから位置Ｐ１１を介して第２ロック位置Ｐ１２に至る(矢印Ｒ１３参照)。即ち、第２弾性部材４２０の作用により第２スライド部材４１０が手前側に変位し、第２カムピン４３０の他端４３２が第２ロック位置Ｐ１２に至る(図５参照)。
【００６７】
ロック解除側余長軌跡４４４は、第２ロック解除側軌跡４４１２におけるハート状の頂部に接続されかつＹ方向に第２ロック位置Ｐ１２から離れる側に延在する。第２ロック解除側軌跡４４１２のＹ方向の寸法Ｌ３は、同時抜き機能を実現できるように設定される。具体的には、寸法Ｌ３は、距離Ｌ０＋Ｌ１から寸法Ｌ２を引いた値以上である。即ち、Ｌ３≧Ｌ０＋Ｌ１−Ｌ２である。寸法Ｌ３は、例えば位置Ｐ１３から第２ロック解除側軌跡４４１２の上端位置Ｐ１４までの距離として定義される。ロック解除側余長軌跡４４４は、後述のように、第１スライド部材３１０の奥側への押し込み（第１カムピン３３０の他端３３２を位置Ｐ３に至らせるための押し込み）を可能とする。
【００６８】
第２ロック解除側軌跡４４１２及びロック解除側余長軌跡４４４は、図５に示す双方ロック状態から取り出し可能状態への、ＳＤメモリカード５単独の抜き過程、及び、ＳＤメモリカード５及びＳＩＭトレイ２１の同時抜き過程のいずれにおいても機能する。
【００６９】
ＳＤメモリカード５単独の抜き過程での機能は、以下のとおりである。図５に示す双方ロック状態からユーザによりＳＤメモリカード５が奥側に押し込みされ始めると、図６に示すように、第２スライド部材４１０が奥側に変位する。尚、この際、スライド当接部位３１４に第２スライド部材４１０が当接せず、第２スライド部材４１０が単独で奥側に変位する。そして、図５に示す双方ロック状態からの第２スライド部材４１０のＹ方向の変位量が寸法Ｌ２(図３Ｂ参照)を超えると、第２カムピン４３０の他端４３２は、下端位置Ｐ１０への折り返しが可能な位置Ｐ１３に至る(矢印Ｒ１４参照)。位置Ｐ１３は、抜き過程でのＳＤメモリカード５のみが抜き出せる位置に相当する。折り返しが可能な位置Ｐ１１でユーザがＳＤメモリカード５の押し込みをやめると、第１カムピン３３０の他端３３２は、位置Ｐ１３にて折り返して下端位置Ｐ１０及びホーム位置Ｐ１ｈに至る(矢印Ｒ１５参照)。これより、図７に示すように、ＳＤメモリカード５のみが取り出し可能な状態（ＳＤメモリカード５の抜き出し完了状態）となる。図７に示す状態では、ユーザは、ＳＤメモリカード５が本体１０から手前側に露出しており、容易に取り出すことができる。尚、図７に示す状態では、ＳＩＭトレイ２１は、ロック状態のままである。
【００７０】
ＳＤメモリカード５及びＳＩＭトレイ２１の同時抜き過程での機能は、以下のとおりである。図５に示す双方ロック状態からユーザによりＳＤメモリカード５が奥側に押し込みされ始めると、図６に示すように、第２スライド部材４１０が奥側に変位する。第２スライド部材４１０を更に奥側に変位させると、第２カムピン４３０の他端４３２は、位置Ｐ１３からロック解除側余長軌跡４４４を辿り上側へと移動する(矢印Ｒ１６参照)。そして、寸法Ｌ２を超えてからの第２スライド部材４１０のＹ方向の変位量が寸法Ｌ３を超えると、第２カムピン４３０の他端４３２は位置Ｐ１４に至る(矢印Ｒ１６参照)。第２カムピン４３０の他端４３２は位置Ｐ１４に至るとき、第１カムピン３３０の他端３３２は位置Ｐ３（図３Ａ）に至る。位置Ｐ１４でユーザがＳＤメモリカード５の押し込みをやめると、第２カムピン４３０の他端４３２は、位置Ｐ１３を介して下端位置Ｐ１０及びホーム位置Ｐｈ２に至る(矢印Ｒ１７参照)。これと同時に、上述したように、第１カムピン３３０の他端３３２は、位置Ｐ３にて折り返して下端位置Ｐ１及びホーム位置Ｐｈに至る(図３Ａの矢印Ｒ５参照)。これにより、図９に示すように、ＳＤメモリカード５及びＳＩＭトレイ２１が取り出し可能な状態（ＳＤメモリカード５及びＳＩＭトレイ２１の抜き出し完了状態）となる。
【００７１】
従って、ユーザは、双方ロック状態において、ＳＤメモリカード５を寸法Ｌ２に相当する距離だけ奥側に押し込むことで、ＳＤメモリカード５だけを抜き出すことができる。また、ユーザは、双方ロック状態において、ＳＤメモリカード５を距離Ｌ０＋Ｌ１だけ奥側に押し込むことで、ＳＤメモリカード５及びＳＩＭトレイ２１の双方を抜き出すことができる。
【００７２】
このように、実施例１では、第２ハートカム機構は、双方ロック状態において、ＳＩＭトレイ２１の抜き出しを伴わない態様で、ＳＤメモリカード５の抜き出しを可能とする。また、第１ハートカム機構と第２ハートカム機構とは、ＳＤメモリカード５の奥側への変位に連動するように形成されることで、双方ロック状態において協動してＳＤメモリカード５及びＳＩＭトレイ２１の同時の抜き出しを可能とする。
【００７３】
また、実施例１では、ロック側余長軌跡４４３を有するので、上述のように、ユーザは、図９に示す挿入前状態(抜き出し完了状態)から、ＳＤメモリカード５を奥側に押し込むことで、ＳＤメモリカード５を介してＳＩＭトレイ２１を押し込むことができる。但し、実施例１において、ユーザは、ＳＩＭトレイ２１を本体１０内に挿入してロック状態とした後に、ＳＤメモリカード５を本体１０内に挿入してロック状態とすることで、双方ロック状態を実現することも可能である。
【００７４】
尚、実施例１では、第１カム溝３４０は本体１０に設けられ、第１カムピン３３０の回転支点（一端３３１）が第１スライド部材３１０に設けられるが、これに限られない。即ち、図１０に示す変形例のように、第１カム溝３４０に対応する第１カム溝３４０Ａが第１スライド部材３１０Ａに設けられ、第１カムピン３３０の回転支点（一端３３１）が本体１０Ａに設けられてもよい。これは、図１０に示す変形例のように、第２カムピン４３０及び第２カム溝４４０についても同様である。尚、図１０では、本体１０Ａは、一部（機構に係る部分）だけが図示されている。
【００７５】
また、実施例１では、第２カム溝４４０により形成される第１軌跡は、ロック側余長軌跡４４３を有しているが、これに限られない。図１１に示す変形例による第２カム溝４４０Ａのように、ロック側余長軌跡４４３は、省略されてもよい。この場合、ロック状態への遷移のためのＳＤメモリカード５の挿入と、ロック状態への遷移のためのＳＩＭトレイ２１の挿入とは別々に実現される。即ち、ＳＩＭトレイ２１を本体１０内に挿入してロック状態とした後に、ＳＤメモリカード５を本体１０内に挿入してロック状態とすることで、双方ロック状態が実現される。
【００７６】
また、実施例１では、ＳＤメモリカード５は、トレイに載せられずに、本体１０に直接挿抜されるが、これに限られない。ＳＤメモリカード５は、ＳＩＭトレイ２１とは別のトレイ（第２トレイの一例）に載せられた状態で、本体１０に対して挿抜可能であってもよい。この場合、別のトレイは、第２スライド部材４１０のカード係止部位４１１にＹ方向に当接するように形成される。尚、この場合、別のトレイには、ＳＤメモリカード５及び第２のＳＩＭカードのいずれかが選択可能に載置できる載置部が設定されてもよい。
【００７７】
［実施例２］
以下の実施例２の説明において、上述した実施例１と同一であってよい構成要素については、同一の参照符号を付して説明を省略する場合がある。
【００７８】
図１２乃至図１４は、実施例２によるコネクタ装置２を示す図である。図１２は、一部だけが分解状態を示し、図１３は、ＳＩＭカード４及びＳＤメモリカード５が共に挿入された状態を示し、図１４は、ＳＩＭカード４が抜き出された状態を示す。
【００７９】
コネクタ装置２は、本体１０Ｂと、ＳＩＭトレイ２１Ｂと、ＳＤトレイ２２（第２トレイの他の一例）と、第１機構（図示せず）と、第２機構４０Ｂとを含む。
【００８０】
本体１０Ｂは、上述した実施例１による本体１０に対して、第２カム溝４４０が形成されていない点が異なる。本体１０Ｂには、第１機構（ハートカム機構）のカム溝（図示せず）が形成される。第１機構のカム溝は、図３Ａに示した第１カム溝３４０と同様であってよいが、第１ロック側軌跡３４１１と第１ロック解除側軌跡３４１２が対称であってよい。第１機構は、ＳＩＭトレイ２１Ｂを本体１０Ｂの第１空間１１に対してＹ方向に挿抜可能とする。
【００８１】
ＳＩＭトレイ２１Ｂは、上述した実施例１によるＳＩＭトレイ２１に対して、実質的にガイド溝７２（図１４参照）を備える点が異なる。ガイド溝７２は、ＳＤトレイ２２の挿抜動作をガイドする機能を有し、第２機構４０Ｂを形成する。
【００８２】
ＳＤトレイ２２は、ＳＤメモリカード５を載せることが可能なトレイである。尚、ＳＤトレイ２２は、ＳＤメモリカード５及び第２のＳＩＭカードのいずれかが選択可能に載置できる載置部が設定されてもよい。ＳＤトレイ２２のＸ方向の両側面には、ガイド突起７１が形成される。
【００８３】
第２機構４０Ｂは、ＳＤトレイ２２のガイド突起７１と、ＳＩＭトレイ２１Ｂのガイド溝７２とにより形成される。ガイド突起７１は、ＳＩＭトレイ２１Ｂのガイド溝７２に嵌り、Ｙ方向に摺動可能である。これにより、ＳＤトレイ２２がＳＩＭトレイ２１Ｂに対してＹ方向に挿抜可能となる。即ち第２機構４０Ｂは、ＳＤトレイ２２を本体１０Ｂの第２空間１２に対してＹ方向に挿抜可能とする。
【００８４】
ユーザは、ＳＩＭトレイ２１ＢにＳＩＭカード４を載せた状態で本体１０Ｂ内にＳＩＭトレイ２１Ｂを押し込むことで、図１４に示すように、ＳＩＭトレイ２１Ｂをロック状態に遷移させることができる。次いで、ユーザは、ＳＩＭトレイ２１Ｂのガイド溝７２内にガイド突起７１が通る態様で、ＳＩＭトレイ２１Ｂに対して、ＳＤメモリカード５を載せたＳＤトレイ２２を摺動させながらＳＤトレイ２２を押し込む。これにより、ユーザは、図１３に示すように、ＳＤトレイ２２を挿入状態に遷移させることができる。
【００８５】
実施例２によっても、上述した実施例１と同様、Ｙ方向に並ぶ第１空間１１及び第２空間１２のうちの、第１空間１１に対して第１機構によりＳＩＭトレイ２１が挿抜可能となり、第２空間１２に対して第２機構４０ＢによりＳＤメモリカード５が挿抜可能となる。この際、ユーザは、ＳＤメモリカード５だけを抜き出すことも可能となり、ＳＤメモリカードの抜き出しに伴って生じうるＳＩＭトレイの抜き出しに起因した不都合（通信端末の電源を切る必要が生じる不都合）を防止できる。また、Ｙ方向に並ぶ第１空間１１及び第２空間１２を利用することで、コネクタ装置２の厚み方向（上下方向）の薄型化を図ることができる。
【００８６】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００８７】
例えば、上述した実施例では、２つの媒体（ＳＩＭカード４及びＳＤメモリカード５）が挿抜可能とされているが、機構を追加することで、３つ以上の媒体が挿抜可能とされてもよい。
【００８８】
なお、以上の実施例に関し、さらに以下の付記を開示する。
［付記１］
第１方向の一端側に開口を有する本体であって、第１空間、及び、前記第１方向で前記第１空間よりも前記開口に近い側に位置しかつ前記第１空間と前記第１方向で並ぶ第２空間を、内部に形成する本体と、
第１媒体を載せることが可能な第１トレイと、
前記第１トレイを、前記第１空間に対して前記第１方向に前記開口を介して挿抜可能とする第１機構と、
前記第２空間に対して前記第１方向に、前記第１媒体とは別の第２媒体を前記開口を介して挿抜可能とする第２機構であって、前記第１トレイ及び前記第２媒体が前記本体に挿入されている状態において前記第１トレイ及び前記第２媒体のうちの前記第２媒体だけを抜き出すことを可能とする第２機構とを含む、コネクタ装置。
［付記２］
前記第１機構は、
前記本体に対して前記第１方向で変位可能である第１スライド部材と、
前記第１方向での前記第１トレイの抜き方向に前記第１スライド部材を付勢する第１弾性部材と、
前記第１方向での前記第１トレイの動きを規定する第１ハートカム機構とを含み、
前記第２機構は、
前記本体に対して変位可能である第２スライド部材と、
前記第１方向での前記第２媒体の抜き方向に前記第２スライド部材を付勢する第２弾性部材と、
前記第１方向での前記第２媒体の動きを規定する第２ハートカム機構とを含む、付記１に記載のコネクタ装置。
［付記３］
前記第１ハートカム機構及び前記第２ハートカム機構は、前記第１トレイ及び前記第２媒体が前記本体に挿入されている状態において、前記第１方向での前記第２媒体の挿入方向への変位に連動するように構成される、付記２に記載のコネクタ装置。
［付記４］
前記第２ハートカム機構は、第２変位量による前記変位に連動して、前記第２媒体を前記本体から抜ける状態に遷移させ、
前記第１ハートカム機構は、前記第２変位量より大きい第１変位量による前記変位に連動して、前記第１トレイを前記本体から抜ける状態に遷移させる、付記３に記載のコネクタ装置。
［付記５］
前記第１ハートカム機構は、前記第１スライド部材及び前記本体の一方に一端が支持される第１カムピンと、前記第１スライド部材及び前記本体の他方に設けられ、前記第１カムピンの他端が嵌り、前記第１カムピンの他端が通る第１軌跡を規定する第１カム溝とを含み、
前記第２ハートカム機構は、前記第２スライド部材及び前記本体の一方に一端が支持される第２カムピンと、前記第２スライド部材及び前記本体の他方に設けられ、前記第２カムピンの他端が嵌り、前記第２カムピンの他端が通る第２軌跡を規定する第２カム溝とを含み、
前記第１軌跡におけるハート状の部分は、該ハート状の凹部に対応する第１ロック位置から該ハート状の下端の第１下端位置に向かう第１ロック解除側軌跡であって、該ハート状の頂部に、前記第１下端位置への折り返しが可能な第１折り返し位置を有する第１ロック解除側軌跡を含み、
前記第２軌跡におけるハート状の部分は、該ハート状の凹部に対応する第２ロック位置から該ハート状の下端の第２下端位置に向かう第２ロック解除側軌跡であって、該ハート状の頂部に、前記第２下端位置への折り返しが可能な第２折り返し位置を有する第２ロック解除側軌跡を含み、
前記第２軌跡は、前記ハート状の頂部に接続されかつ前記第１方向に前記第２ロック位置から離れる側に延在するロック解除側余長軌跡を含み、
前記第１変位量は、前記第１方向で前記第１ロック位置から前記第１折り返し位置までの距離と、前記第１トレイ及び前記第２媒体が前記本体に挿入されている状態における前記第１方向で前記第１スライド部材及び前記第２スライド部材の間の距離との和に対応し、
前記第２変位量は、前記第１方向で前記第２ロック位置から前記第２折り返し位置までの距離に対応し、
前記ロック解除側余長軌跡の前記第１方向の寸法は、前記第１変位量から前記第２変位量を引いた値以上である、付記４に記載のコネクタ装置。
［付記６］
前記第２軌跡におけるハート状の部分は、前記第２下端位置から前記第２ロック位置に向かう第２ロック側軌跡を更に含み、
前記第２軌跡は、前記第２ロック側軌跡における前記ハート状の頂部に接続されかつ前記第１方向に前記第２ロック位置から離れる側に延在するロック側余長軌跡を更に含む、付記５に記載のコネクタ装置。
［付記７］
前記第２媒体を載せることが可能な第２トレイを更に備え、
前記第２機構は、前記第２空間に対して前記第１方向に前記第２トレイを挿抜可能とすることで、前記第２空間に対して前記第２媒体を挿抜可能とする、付記１〜６のうちのいずれか１項に記載のコネクタ装置。
［付記８］
前記第２媒体を載せることが可能な第２トレイを更に備え、
前記第２機構は、前記第１トレイに対して前記第２トレイを前記第１方向に摺動可能とすることで、前記第２空間に対して前記第２媒体を挿抜可能とする、付記１記載のコネクタ装置。
［付記９］
前記第１媒体は、ＳＩＭカードであり、前記第２媒体は、メモリカードである、付記１〜８のうちのいずれか１項に記載のコネクタ装置。
【符号の説明】
【００８９】
１  コネクタ装置
２  コネクタ装置
４  ＳＩＭカード
５  ＳＤメモリカード
１０  本体
１０Ａ  本体
１０Ｂ  本体
１１  第１空間
１２  第２空間
２１  ＳＩＭトレイ
２１Ｂ  ＳＩＭトレイ
３０  第１機構
４０  第２機構
７１  ガイド突起
７２  ガイド溝
１０２  手前側端部
１１２  ベース部
１１４  シェル部
３１０  第１スライド部材
３１０Ａ  第１スライド部材
３１１  トレイ係止部位
３１２  手前側ストッパ部位
３１４  スライド当接部位
３１５  ピン穴
３２０  第１弾性部材
３３０  第１カムピン
３３１  一端
３３２  他端
３４０  第１カム溝
３４０Ａ  第１カム溝
３４１  ハート状の部分
３４２  直線部分
４１０  第２スライド部材
４１１  カード係止部位
４１２  手前側ストッパ部位
４１４  スライド当接部位
４１５  ピン穴
４２０  第２弾性部材
４３０  第２カムピン
４３１  一端
４３２  他端
４４０  第２カム溝
４４０Ａ  第２カム溝
４４１  ハート状の部分
４４２  直線部分
３４１１  第１ロック側軌跡
３４１２  第１ロック解除側軌跡
３４３０  段差
４４１１  第２ロック側軌跡
４４１２  第２ロック解除側軌跡
４４３０  段差
４４３  ロック側余長軌跡
４４４  ロック解除側余長軌跡
【図１】
2018195379.tif 000003
【図２Ａ】
2018195379.tif 000004
【図２Ｂ】
2018195379.tif 000005
【図３Ａ】
2018195379.tif 000006
【図３Ｂ】
2018195379.tif 000007
【図４】
2018195379.tif 000008
【図５】
2018195379.tif 000009
【図６】
2018195379.tif 000010
【図７】
2018195379.tif 000011
【図８】
2018195379.tif 000012
【図９】
2018195379.tif 000013
【図１０】
2018195379.tif 000014
【図１１】
2018195379.tif 000015
【図１２】
2018195379.tif 000016
【図１３】
2018195379.tif 000017
【図１４】
2018195379.tif 000018